(57)【特許請求の範囲】
【請求項１】
画面表示が可能な操作パネルを有する画像出力装置であって、
入力画像に前記操作パネルによる操作に応じた処理を加えて出力する際の出力画像状態のプレビュー表示のためのプレビュー領域を有する操作画面を表示する画面表示手段と、
前記操作画面が表示されている状態において、出力画像状態に影響する設定にかかわる第１種の操作が行われたときに、下地色が透過色とされた第１ポップアップウインドウを前記操作画面の前記プレビュー領域に重ねて表示するポップアップ表示手段とを備え、
前記ポップアップ表示手段は、前記操作画面が表示されている状態において、出力画像状態に影響しない設定にかかわる第２種の操作が行われたときに、下地色が非透過色とされた第２ポップアップウインドウを前記操作画面の前記プレビュー領域に重ねて表示する
ことを特徴とする画像出力装置。
【請求項２】
前記第１ポップアップウインドウは、前記下地色よりも透明度の小さい色で下地部が塗り潰された操作ボタンを有する
請求項１記載の画像出力装置。
【請求項３】
前記操作画面は、前記入力画像をモニター表示するための領域として前記プレビュー領域と並べて配置されたモニター表示領域を有する
請求項１または２記載の画像出力装置。
【請求項４】
前記ポップアップ表示手段は、前記第１ポップアップウインドウまたは第２ポップアップウインドウが表示された状態において、前記操作パネルによる操作が行われたときに、表示中のポップアップウインドウとは下地色が異なるポップアップウインドウを表示する
請求項１ないし３のいずれかに記載の画像出力装置。
【請求項５】
前記操作画面は操作ボタンを有しており、
前記第１ポップアップウインドウは、前記操作画面の前記操作ボタンおよび前記プレビュー領域に重なる位置に配置される
請求項１ないし４のいずれかに記載の画像出力装置。
【請求項６】
画面表示が可能な操作パネルを有する画像出力装置の操作画面表示方法であって、
前記操作パネルにおける画面表示を制御するコントローラが、
入力画像に前記操作パネルによる操作に応じた処理を加えて出力する際の出力画像状態のプレビュー表示のためのプレビュー領域を有する操作画面を、前記操作パネルに表示させ、
前記操作画面が表示されている状態において、出力画像状態に影響する第１種の操作が行われたときに、下地色が透過色とされた第１ポップアップウインドウを前記操作画面の前記プレビュー領域に重ねて表示させ、出力画像状態に影響しない設定にかかわる第２種の操作が行われたときに、下地色が非透過色とされた第２ポップアップウインドウを前記操作画面の前記プレビュー領域に重ねて表示させる
ことを特徴とする操作画面表示方法。
【請求項７】
画面表示が可能な操作パネルを有する画像出力装置において実行されるコンピュータプログラムであって、
前記画像出力装置に備わるコンピュータによって実行されたときに、
入力画像に前記操作パネルによる操作に応じた処理を加えて出力する際の出力画像状態のプレビュー表示のためのプレビュー領域を有する操作画面を前記操作パネルに表示させるステップと、
前記操作画面が表示されている状態において、出力画像状態に影響する設定にかかわる第１種の操作が行われたときに、下地色が透過色とされた第１ポップアップウインドウを前記操作画面の前記プレビュー領域に重なるように前記操作パネルに表示させるステップと、
前記操作画面が表示されている状態において、出力画像状態に影響しない設定にかかわる第２種の操作が行われたときに、下地色が非透過色とされた第２ポップアップウインドウを前記操作画面の前記プレビュー領域に重なるように前記操作パネルに表示させるステップとを、前記コンピュータに実現させる
ことを特徴とするコンピュータプログラム。
【発明の詳細な説明】
【技術分野】
【０００１】
本発明は、操作パネルによる操作に応じた画像出力動作をする画像出力装置、画像出力装置の操作のための操作画面表示方法およびコンピュータプログラムに関する。画像出力装置には、画像を印刷する画像形成装置、画像を読み取って情報処理装置や記憶装置などの他の装置へ出力する画像読取り装置、および画像データを送信する通信装置が含まれる。
【背景技術】
【０００２】
近年の多機能化した画像出力装置では、操作ボタンが機能分類ごとに区分けされ、操作画面が階層化されている。すなわち、操作パネルの表示を複雑にすることなくユーザーが必要に応じて様々な設定を行い得るように操作パネルが工夫されている。
【０００３】
また、操作パネルに配置するディスプレイの解像度の向上にともない、出力結果の操作パネル上でのプレビュー表示が行われている。例えば、特許文献１の開示では、画像処理に用いる設定項目を示すアイコンと、設定項目を用いた画像処理の結果の概略を示すプレビュー情報とが操作パネルの同一画面上に表示される。操作画面にはプレビュー専用の領域が設けられ、ディスプレイの表示面の一部分を用いてプレビュー情報が表示される。そして、利用者が設定を変更すると、プレビュー情報が変更される。利用者がプレビューの拡大を指示すると、操作画面からプレビューを拡大して示すモニター画面に表示が切り替わる。
【０００４】
一方、階層化された操作画面の表示に関して次の開示がある。特許文献２に記載されたプログラムは、操作案内をパーソナルコンピュータに表示させる表示制御プログラムであって、デフォルト画面以外の設定画面で変更があったとき、デフォルト画面にそれ以外の画面での設定内容を透過表示する。すなわち、このプログラムは、デフォルト画面より下位の画面におけるユーザーに設定が変更された項目の部分をデフォルト画面に組み入れて表示する。
【先行技術文献】
【特許文献】
【０００５】
【特許文献１】特開２００７−２２１７２９号公報
【特許文献２】特開２００８−８３９５９号公報
【発明の概要】
【発明が解決しようとする課題】
【０００６】
操作パネルのディスプレイの表示面の大きさには限りがあるので、表示面の一部分をプレビュー専用の領域とすることによって、表示面内に配置可能な操作ボタンの数が少なくなり、操作画面の階層数が多くなっていた。階層数が多いと、ユーザーが下位の画面を表示させたいときに多くの画面切替え操作を行わなければならない。プレビュー専用の領域を小さくすれば、プレビュー情報と共に表示可能な操作ボタンを増やすことができるが、プレビューが見難くなる。
【０００７】
本発明は、このような事情に鑑み、プレビュー情報と共により多くの情報をユーザーに提供することのできる操作パネルの実現を目的としている。
【課題を解決するための手段】
【０００８】
上記目的を達成する装置は、画面表示が可能な操作パネルを有する画像出力装置であって、入力画像に前記操作パネルによる操作に応じた処理を加えて出力する際の出力画像状態のプレビュー表示のためのプレビュー領域を有する操作画面を表示する画面表示手段と、前記操作画面が表示されている状態において、出力画像状態に影響する設定にかかわる第１種の操作が行われたときに、下地色が透過色とされた第１ポップアップウインドウを前記操作画面の前記プレビュー領域に重ねて表示するポップアップ表示手段とを備える。当該画像処理装置において、前記ポップアップ表示手段は、前記操作画面が表示されている状態において、出力画像状態に影響しない設定にかかわる第２種の操作が行われたときに、下地色が非透過色とされた第２ポップアップウインドウを前記操作画面の前記プレビュー領域に重ねて表示する。
【発明の効果】
【０００９】
本発明によれば、表示面積の限られたディスプレイにおいて、プレビュー表示のための領域を小さくすることなく、プレビュー情報と共により多くの情報をユーザーに提供することができる。
【図面の簡単な説明】
【００１０】
【図１】本発明の実施形態に係る画像情報処理システムの構成を示す図である。
【図２】画像形成装置の外観の一例を示す図である。
【図３】画像形成装置のハードウェア構成を示す図である。
【図４】制御回路の機能構成を示す図である。
【図５】画像形成装置の動作の流れを示すフローチャートである。
【図６】操作画面の初期状態を示す図である。
【図７】操作画面のモニター表示状態を示す図である。
【図８】操作画面のプレビュー表示状態を示す図である。
【図９】操作画面におけるポップアップ表示の第１例を示す図である。
【図１０】操作画面におけるポップアップ表示の第２例を示す図である。
【図１１】操作画面におけるポップアップ表示の第３例を示す図である。
【図１２】操作画面におけるポップアップ表示の第４例を示す図である。
【図１３】操作画面におけるポップアップ表示の第５例を示す図である。
【図１４】操作画面におけるポップアップ表示の第６例を示す図である。
【発明を実施するための形態】
【００１１】
図１に例示される画像情報処理システム１は、画像出力装置の一種である画像形成装置１，１ｂと、画像形成装置１，１ｂに各種のジョブを与えるクライアント５，６，７，８とを備える。例示の画像形成装置１，１ｂはＭＦＰ（Multifunction Peripherals）と呼ばれる複合機である。画像形成装置１，１ｂは、コピー、ネットワークプリンティング、イメージ入力、ファクシミリ通信、メール送受、ドキュメントの保存などの種々の機能を有する。クライアント５，６，７，８は、パーソナルコンピュータに代表される情報処理装置である。画像形成装置１，１ｂおよびクライアント５，６，７，８は、ネットワーク４を介して相互のアクセスおよび相互のデータ交換が可能に接続される。ネットワーク４は、有線または無線の通信路を含むＬＡＮ（Local Area Network）であり、インターネットや公衆通信ネットワークといった広域ネットワーク９と接続されている。
【００１２】
画像形成装置１，１ｂはコピーにおいて原稿画像をプリント出力し、ネットワークプリンティングにおいてクライアント５，６，７，８からのプリントデータを基に生成した画像をプリント出力する。プリントデータとは、クライアント５，６，７，８のオペレーティングシステムやアプリケーションプログラムが発行する描画命令を、プリンタドライバによって画像形成装置１，１ｂが処理可能なページ記述言語に変換したページ記述言語による描画命令、またはＰＤＦ、ＴＩＦＦ、ＪＰＥＧ、ＸＰＳなどのいわゆる画像ファイルフォーマットで記述されたドキュメントデータである。
【００１３】
また、画像形成装置１，１ｂは、原稿から読み取った画像または予め記憶しているドキュメントを、ネットワーク4を介して、クライアント５，６，７，８または広域ネットワーク９に接続された他の機器へデータ通信の形で出力することができる。以下、画像形成装置１を代表として構成および動作を説明する。
【００１４】
図２の例示において、画像形成装置１では、電子写真式のプリンタ２３の上方に、ＡＤＦ(Auto Document Feeder)２１およびイメージスキャナ２２が配置されている。ＡＤＦ２１は原稿台２１１および回収台２１２を有し、原稿台２１１から回収台２１２へ原稿Ｄを搬送する。原稿Ｄは読み取るべき情報が記録されたシート状記録媒体（用紙）である。原稿台２１１に複数の原稿Ｄが載置（セッティング）されたとき、ＡＤＦ２１は１枚ずつ順々に原稿Ｄを搬送する。ＡＤＦ２１による搬送の途中で、原稿Ｄは読取り位置を通過する。イメージスキャナ２２は、読取り位置を通過する原稿Ｄに記録されている画像情報を光学的に読み取る。この読取りの形式は、光学系に対して原稿Ｄを移動させるシートスルー形式である。また、イメージスキャナ２２は原稿固定式の読取りのための原稿台ガラスを有しており、その原稿台ガラスの上面を容易に露出させるために、ＡＤＦ２１は背面側を支点として開閉可能なようにイメージスキャナ２２に組み付けられている。
【００１５】
イメージスキャナ２２の前側に操作パネル２５が配置されている。操作パネル２５は、種々の操作画面を表示するタッチパネル部２５Ａとテンキーを含む種々の固定キーが配置されたキーパネル部２５Ｂとを有する。画像形成装置１のユーザーは、操作パネル２５を用いる直接の操作、またはネットワーク４を介して接続されたクライアント５，６，７，８からのアクセスによって所望の動作を画像形成装置１に実行させることができる。
【００１６】
例えばコピーにおいて、ＡＤＦ２１とイメージスキャナ２２との連携による読取りの終了後または読取り途中の時点で、多段式の用紙ストッカ２４から操作入力で指定されたサイズの用紙がプリンタ２３に給紙される。プリンタ２３において、原稿Ｄから読み取られた画像が用紙にカラー指定に応じた色で印刷される。画像が印刷された用紙は排紙トレイ２３２に排出される。
【００１７】
図３のように、画像形成装置１は、上述の要素に加えて、制御回路２６、画像処理回路２７、ストレージ２８、および外部接続インタフェース２９を有する。制御回路２６は、制御プログラムを記憶するＲＯＭ２６１、制御プログラムを実行するＣＰＵ(central processing unit)２６２、プログラム実行のためのＲＡＭ２６３、および図示しないリアルタイムクロック集積回路を有する。ＲＡＭ２６３は、ワークエリアとされるＳ−ＲＡＭと各種の設定を記憶するバッテリバックアップされたＮＶ−ＲＡＭ（不揮発性メモリ）とを含む。画像処理回路２７はイメージスキャナ２２の出力データの補正や印刷時のビットマップ展開を含む種々の画像処理を担う。ストレージ２８はハードディスクドライブのような大容量記憶デバイスである。ストレージ２８には、画像形成装置１の制御に係わるデータを記憶するメモリ領域とともに、各種ドキュメントのファイルを保存するメモリ領域（いわゆるボックス）が設けられる。外部接続インタフェース２９は、画像形成装置１とネットワーク４とを接続し、ＬＡＮ通信およびファクシミリ通信を可能にする。
【００１８】
図４は、操作パネル２５のコントローラとしての制御回路２６の機能構成を示す。制御回路２６は、表示処理部６０１、画面表示部６０２、およびポップアップ表示部６０３を有する。これら要素は、ＣＰＵ２６２が表示制御プログラムを実行することによって実現される機能要素である。
【００１９】
表示処理部６０１および画面表示部６０２は互いに連携して操作パネル２５のディスプレイ２５１に操作画面を表示させる。表示にはＲＯＭ２６１またはストレージ２８からＲＡＭ２６３にロードされた操作画面データＤＱが用いられる。操作画面データＤＱは、階層化された複数の操作画面の画像および各画面内の位置と操作内容との対応を示す。ユーザーによる操作に応じて操作画面が切り替えられる。表示処理部６０１および画面表示部６０２は、表示している操作画面内の操作ボタンに対応する位置を示す信号がタッチ入力デバイス２５２から入力されると、当該操作ボタンが押下されたと認識する。
【００２０】
ポップアップ表示部６０３は、予め定められた操作が行われたときに、表示中の操作画面に当該操作に関係する情報を含むサブウインドウをポップアップ表示させる。すなわち、ポップアップウインドウを操作画面に重ねるように合成した画面の表示を表示処理部６０１に要求する。特に、ポップアップ表示部６０３は、プレビュー領域を有する操作画面が表示されている状態において、出力画像状態に影響する設定にかかわる第１種の操作が行われたときに、下地色が透過色とされた第１ポップアップウインドウをプレビュー領域に重ねて表示させる。また、ポップアップ表示部６０３は、プレビュー領域を有する操作画面が表示されている状態において、出力画像状態に影響しない設定にかかわる第２種の操作が行われたときに、下地色が非透過色とされた第２ポップアップウインドウをプレビュー領域に重ねて表示させる。
【００２１】
図５に示すフローチャートを参照して、画像形成装置１の全体動作の流れを説明する。制御回路２６のＣＰＵ２６２は、電源投入またはリセット操作に呼応して初期化処理を実行する（Ｓ３０１）。制御パラメータを記憶するメモリがクリアされ、標準モードの設定が行われる。
【００２２】
初期化処理が終了すると、操作パネル２５のキーパネル部２５Ｂ上のキースイッチ群、およびタッチパネル部２５Ａにおける操作を受け付ける。ユーザーから何らかの処理要求（コピー処理や各種の設定処理など）が為されたかどうかを確認する（Ｓ３０３）。要求が為されていなければ（Ｓ３０３でＮｏ）、ステップＳ３０５に進む。
【００２３】
ユーザーから何らかの処理要求が為された場合（Ｓ３０３でＹｅｓ）、それが原稿のスキャン送信処理の要求かどうか確認する（Ｓ３１１）。スキャン送信処理の要求であれば（Ｓ３１１でＹｅｓ）、送信処理を実行する（Ｓ３１３）。
【００２４】
要求された処理が送信処理でなければ（Ｓ３１１でＮｏ）、その要求された処理を実行する（Ｓ３１５）。ここで、送信処理以外の処理とは、例えば、原稿のコピーまたは読取り、ＲＡＭ２６３に記憶されている各種設定を変更する処理などである。ユーザーから要求された処理が終了すると、ステップＳ３０５に進む。
【００２５】
ステップＳ３０５では、ネットワーク４を介してクライアント５，６，７，８などの外部の装置から何らかの処理要求（文書のプリント処理、各種の設定処理、など）が為されたかどうか確認する（ステップS305）。外部の装置から何らかの処理要求が為された場合（Ｓ３０５でＹｅｓ）、その要求された処理を実行する（Ｓ３２１）外部の装置から要求された処理がすべて終了すると、ステップＳ３０３に戻って上述の処理を繰り返し実行する。
【００２６】
次に、画像形成装置１における操作パネルの表示形態を、図６から図１４までの図を参照して説明する。
【００２７】
図６は画像形成装置１が基本画面として表示する操作画面Ｑ１の初期状態を示す。操作画面Ｑ１の上端部にメッセージ領域４１が配置され、メッセージ領域４１の下にモニター領域４３およびプレビュー領域４４を有した画像表示領域４２が配置されている。モニター領域４３およびプレビュー領域４４が左右に並ぶ。本例では左側にモニター領域４３が、右側にプレビュー領域４４が位置する。モニター領域４３およびプレビュー領域４４の下側には、画質設定や用紙設定などの設定に係わるボタン５１，５２，５３，５４，５５，５６が横一列に並べて配置されている。これらボタンのうち、Ａｐｐｌｉｃａｔｉｏｎボタン５６は、さらに詳細な機能や設定を行うための設定メニューを呼び出すためのボタンである。
【００２８】
操作画面Ｑ１の下端部には、コピーボタン５７、ＦＡＸ／Ｓｃａｎボタン５８、ＢＯＸボタン５９、およびリセットボタン６０といった用途選択のためのボタンが配置されている。例えば、ユーザーはコピーボタン５７の押下によってコピー動作を選択することができ、ＦＡＸ／Ｓｃａｎボタン５８の押下によってファクシミリ送信またはデータ送信を選択することができる。リセットボタン６０は設定をリセットするためのボタンである。
【００２９】
操作画面Ｑ１の下端の近傍に、スタートキー６１およびストップキー６２が有る。これらキーはキーパネル部２５Ｂに配置された固定キーである。スタートキー６１はジョブの実行を開始させるためのキーであり、ストップキーはジョブを停止させるためのキーである。
【００３０】
例示では、コピーボタン５７、ＦＡＸ／Ｓｃａｎボタン５８、ＢＯＸボタン５９、およびリセットボタン６０が操作画面Ｑ１内に配置されているが、これらボタンを固定キーとしてキーパネル部２５Ｂに配置してもよい。
【００３１】
図７において、操作画面Ｑ１のモニター領域４３には、原稿画像のモニター画像が表示されている。例えば、コピー動作において、ユーザーがイメージスキャナ２２の原稿固定式の原稿台ガラスに原稿をセッティングすると、イメージスキャナ２２によって原稿が走査され、読み取られた原稿画像の縮小画像がモニター領域４３に表示される。
【００３２】
図８において、操作画面Ｑ１のプレビュー領域４４には、現時点の設定に従うコピー動作で得られる予定の出力結果を示すプレビュー画像が表示されている。例示では、１枚の用紙に原稿画像を並べて複写するリピート印刷設定の出力結果が示されている。
【００３３】
図９において、操作画面Ｑ１には、サブウインドウであるポップアップウインドウＷ１がプレビュー領域４４に重ねて表示されている。ポップアップウインドウＷ１の表示は、設定用のボタンの一つであるステープルボタン５３の押下に呼応して行われる。そのことを表すように、ポップアップウインドウＷ１の外形は、ステープルボタン５３を吹き出し位置とする吹き出し形状とされている。また、ステープルボタン５３が反転表示によって強調されている。
【００３４】
ステープルボタン５３は、印刷済み用紙をステープルで綴じる処理について設定するためのボタンであり、ステープルボタン５３の押下は出力結果に影響する設定にかかわる第１種の操作である。つまり、ステープルボタン５３の押下に続いてユーザーが行うべき設定作業では、プレビュー画像が作業の参考として有用である。このことから、ポップアップウインドウＷ１では、吹き出し形状の下地部の色が透過色とされている。例えば、ポップアップウインドウＷ１の下地色は薄い青色を呈する半透明色である。
【００３５】
例示のポップアップウインドウＷ１は、ステープル処理の要否を決めるボタン９１，９２、ステープルで綴じる位置を決めるボタン９４，９５、および紙折りの要否を決めるボタン９５，９６を有する。これらボタンは、下地との区別がつき易いように、下地色と同系色で下地色とは透明度が異なる色とされている。例えば、下地色より濃い透明色または不透明色とされ、かつ押下されまたはデフォルトで選択されたボタンについては強調のためにさらに濃い色とされる。図では、ボタン９１，９３，９５が強調表示されている。
【００３６】
このようにポップアップウインドウＷ１の下地部分を透明化することで、ユーザーは、プレビュー表示された出力結果イメージを確認しながら、ポップアップウインドウＷ１上の設定ボタンを操作することができる。
【００３７】
図１０において、操作画面Ｑ１では、サブウインドウであるポップアップウインドウＷ２がモニター領域４３およびプレビュー領域４４に重ねて表示されている。ポップアップウインドウＷ２の表示は、設定用のボタンの一つである倍率ボタン５４の押下に呼応して行われる。そのことを表すように、ポップアップウインドウＷ２の外形は、倍率ボタン５４を吹き出し位置とする吹き出し形状とされている。また、倍率ボタン５４が反転表示によって強調されている。
【００３８】
ポップアップウインドウＷ２の下地色が透過色である。例えば、上記ポップアップウインドウＷ１とは異なることが判りやすいように、ポップアップウインドウＷ１の下地色とは異なる色（例えば、ピンク系の色）が下地色とされている。また、プレビュー領域４４と重なるボタン９７，９８を含めて、ポップアップウインドウＷ２内のボタンの色は下地色とは透明度が異なる色とされている。
【００３９】
図１１において、操作画面Ｑ１では、サブウインドウであるポップアップウインドウＷ３がモニター領域４３およびプレビュー領域４４の上側部分に重ねて表示されている。ポップアップウインドウＷ３の表示は、Ａｐｐｌｉｃａｔｉｏｎボタン５６の押下に呼応して行われる。ポップアップウインドウＷ３は、ユーザーがより詳細な設定をするためのメニューウインドウであり、設定項目を示す横一列に並ぶボタンを有する。ポップアップウインドウＷ３の下地色は透過色であり、ポップアップウインドウＷ３内のボタンの色は下地とは透明度が異なる色である。
【００４０】
図１２において、操作画面Ｑ１では、ポップアップウインドウＷ３とともに、ポップアップウインドウＷ４がモニター領域４３およびプレビュー領域４４に重ねて表示されている。ポップアップウインドウＷ４の表示は、ポップアップウインドウＷ３内のボタン９９の押下に呼応して行われる。ポップアップウインドウＷ４の下地色は透過色であり、ポップアップウインドウＷ４内のボタンの色は下地とは透明度が異なる色である。
【００４１】
以上の各例はポップアップ表示が透明化された例であるが、透明化が不要な場合もある。
【００４２】
図１３において、操作画面Ｑ１では、ポップアップウインドウＷ５がモニター領域４３に重なりプレビュー領域４４に重ならないように表示されている。ポップアップウインドウＷ５の表示は、ステープルボタン５３の押下に呼応して行われる。そのことを表すように、ポップアップウインドウＷ５の外形は、ステープルボタン５３を吹き出し位置とする吹き出し形状とされている。また、ステープルボタン５３が反転表示によって強調されている。
【００４３】
ポップアップウインドウＷ５上での操作に際して原稿のモニター画像の必要性は大きくはない。このことから、プレビュー領域４４に重ならない本例のポップアップウインドウＷ５の下地色は不透明の色とされている。ポップアップウインドウＷ５内のボタンも不透明である。ユーザーは、プレビュー領域４４の出力結果のみに傾注して操作を行うことができる。
【００４４】
図１４において、操作画面Ｑ１では、サブウインドウであるポップアップウインドウＷ６がモニター領域４３およびプレビュー領域４４に重ねて表示されている。ポップアップウインドウＷ６の表示は、設定用のボタンの一つである用紙ボタン５２の押下に呼応して行われる。そのことを表すように、ポップアップウインドウＷ６の外形は、用紙ボタン５２を吹き出し位置とする吹き出し形状とされている。また、用紙ボタン５２が反転表示によって強調されている。
【００４５】
用紙ボタン５３は、用紙サイズを設定するためのボタンであり、用紙ボタン５２の押下は出力結果に直接的には影響しない設定にかかわる第２種の操作とされている。用紙ボタン５２の押下に続いてユーザーが行うべき設定作業では、プレビュー画像よりもむしろモニター画像が作業の参考として有用である。このことから、ポップアップウインドウＷ６では、モニター領域４３と重なる左側部分の下地色が透過色とされ、プレビュー領域４４と重なる右側部分が不透明とされている。不透明とすることで操作に不要な情報の表示が省かれ、操作画面Ｑ１が簡素化される。
【００４６】
また、プレビュー描画を、ユーザーの設定操作に応じて動的に変化させるためにはＣＰＵ２６２に負荷がかかり、応答が遅くなってしまう場合があるので、プレビューの更新が不要になることによって負担が軽減される効果もある。
【００４７】
以上の実施形態では、操作ボタンを有するポップアッブウインドウＷ１〜Ｗ６を例示したが、メッセージや状態を表示するためにサブウインドウをポップアップ表示する場合にもブレビュー表示の視認を可能にする下地色の透明化は有効である。
【符号の説明】
【００４８】
１    画像形成装置（画像出力装置）
２５    操作パネル
２６    制御回路（コントローラ）
４４    プレビュー領域
４３    モニター領域
Ｑ１    操作画面
Ｗ１，Ｗ２，Ｗ３，Ｗ４，Ｗ５，Ｗ６    第１ポップアップウインドウ
Ｗ５，Ｗ６    第２ポップアップウインドウ
６０２    画面表示部（画面表示手段）
６０３    ポップアップ表示部（ポップアップ表示手段）
【図１】
0005418415.tif 000002
【図２】
0005418415.tif 000003
【図３】
0005418415.tif 000004
【図４】
0005418415.tif 000005
【図５】
0005418415.tif 000006
【図６】
0005418415.tif 000007
【図７】
0005418415.tif 000008
【図８】
0005418415.tif 000009
【図９】
0005418415.tif 000010
【図１０】
0005418415.tif 000011
【図１１】
0005418415.tif 000012
【図１２】
0005418415.tif 000013
【図１３】
0005418415.tif 000014
【図１４】
0005418415.tif 000015